(57)【特許請求の範囲】
【請求項１】
内部孔を有すると共に該内部孔の先端側に射出口を有する筒状本体部と、該内部孔に挿入されるスクリューと、該内部孔の軸心に略直角な方向へ開口する帯状ゴム部材供給口と、を備え、該内部孔から該供給口につながる該筒状本体部内部の領域を供給部としたゴム射出成形機に於て、
上記供給部において上記内部孔を形成する内壁面と上記スクリューとの間に、上記供給口から供給された上記帯状ゴム部材の該スクリューへの巻付進行周方向に間隙寸法が順次縮小する巻付用隙間部を形成し、上記内壁面から上記供給口につながる上記射出口側の角部に角取り加工部を形成したことを特徴とするゴム射出成形機。
【請求項２】
上記巻付用隙間部から上記射出口側に連続する送出用隙間部を上記筒状本体部の内壁面と上記スクリューとの間に形成した請求項１記載のゴム射出成形機。
【請求項３】
上記送出用隙間部の少なくとも先端部を、上記射出口側に向かって間隙寸法が縮小する勾配面とした請求項２記載のゴム射出成形機。
【請求項４】
スクリューの射出ストロークをＳとし、該スクリューのネジピッチをＰとした場合に、上記送出用隙間部の軸方向寸法Ｌを、（Ｓ−Ｐ／２）≦Ｌ≦Ｓに設定した請求項２又は請求項３記載のゴム射出成形機。
【発明の詳細な説明】
【０００１】
【発明の属する技術分野】
本発明は、インラインスクリュータイプのゴム射出成形機に関する。
【０００２】
【従来の技術】
ゴム射出成形機は、図５の側部断面図と図６の横断面図に示すように、帯状ゴム部材供給口41から供給されたゴム部材42は、筒状本体部43の内部で混練され充填し、スクリュー45の前進動作により射出口から射出されるものである。
従来の成形機は、帯状ゴム部材供給口41につながる筒状本体部43の内部の供給部44において、スクリュー45と筒状本体部43の内壁面46との間の隙間は狭く、その隙間寸法も周方向に一定のものが使用されている。
【０００３】
【発明が解決しようとする課題】
スクリュー45前進によるゴム射出終了後、筒状本体部43の内部において、帯状ゴム部材供給口41から供給される帯状ゴム部材42は、スクリュー45に巻き付いたままの状態である必要がある。これは、ゴム射出終了後、スクリュー45の回転・後退動作により、引き続いて帯状ゴム部材42を供給口41から連続的にスクリュー45に巻き付けて供給していくことができるからである。
【０００４】
しかし従来の射出成形機においては、図６に示すように、帯状ゴム部材42が供給部44においてスクリュー45に巻き付く際、隙間が小さく、スクリュー45の回転により引っ張られて、帯状ゴム部材42が切れてしまうおそれがある。
さらに、図５に示すように、ゴム部材を射出する際スクリュー45の前進（矢印ｂ）により、供給口41からつながったままスクリュー45に巻き付いている帯状ゴム部材42は、引っ張られて筒状本体部43内壁と接触し、接触抵抗により帯状ゴム部材42に大きな張力が生じ切断されてしまうおそれがある。そして、一度帯状ゴム部材42が内部で切断されてしまうと、ゴム部材42に摩擦部が無いため、再度スクリュー45に食い込む（巻き付く）ことができず、連続して射出成形を行うことができないという問題点がある。
また、この問題点は特に帯状ゴム部材42の常温での伸びが少なく、表面の摩擦係数が低いものや、断面形状が大きい場合（例えば幅35×厚さ５mm以上）に生じやすい。
【０００５】
そこで本発明は、ゴム供給口から確実に帯状ゴム部材を連続して供給し続けることができるゴム射出成形機を提供することを目的とする。
【０００６】
【課題を解決するための手段】
上述の目的を達成するために、本発明に係るゴム射出成形機は、内部孔を有すると共に該内部孔の先端側に射出口を有する筒状本体部と、該内部孔に挿入されるスクリューと、該内部孔の軸心に略直角な方向へ開口する帯状ゴム部材供給口と、を備え、該内部孔から該供給口につながる該筒状本体部内部の領域を供給部としたゴム射出成形機に於て、上記供給部において上記内部孔を形成する内壁面と上記スクリューとの間に、上記供給口から供給された上記帯状ゴム部材の該スクリューへの巻付進行周方向に間隙寸法が順次縮小する巻付用隙間部を形成し、上記内壁面から上記供給口につながる上記射出口側の角部に角取り加工部を形成したものである。
また、上記巻付用隙間部から上記射出口側に連続する送出用隙間部を上記筒状本体部の内壁面と上記スクリューとの間に形成したものである。
また、上記送出用隙間部の少なくとも先端部を、上記射出口側に向かって間隙寸法が縮小する勾配面としたものである。
また、スクリューの射出ストロークをＳとし、該スクリューのネジピッチをＰとした場合に、上記送出用隙間部の軸方向寸法Ｌを、（Ｓ−Ｐ／２）≦Ｌ≦Ｓに設定したものである。
【０００７】
【発明の実施の形態】
以下、図示の実施の形態に基づき、本発明を詳説する。
【０００８】
本発明のゴム射出成形機は、インラインスクリュータイプに係るものであり、図１の射出成形機の平面図に示すように、帯状ゴム部材供給口４から供給された帯状ゴム部材（リボン）Ｒは、筒状本体部（加熱筒）２内部（内部孔９）で混練され充填し、射出口６から（溶融）ゴム部材を射出するものである。
【０００９】
図２に射出成形機の側部断面図、図３にその要部断面図を示す。まず、射出成形機について説明すると、図２に示すように、先端側に射出口６を備え軸心Ｃを中心とする円柱形状内部孔９を形成した中空状の筒状本体部２と、内部孔９内を進退可能なスクリュー１と、を備えている。スクリュー１の外周面と内部孔９の内周面（筒状本体部２の内壁面３）との間のクリアランスは、ゴムの充填・混練・射出性能を向上させるべく小さく設定している。
また、スクリュー１のネジのピッチをＰとし、スクリュー１の射出ストロークをＳとしている。
【００１０】
そして、筒状本体部２の基端側に、内部孔９から筒状本体部２の外部方向へ開口する帯状ゴム部材供給口４を設け、図２においては、軸心Ｃに略直角な方向へ開口する開口筒部12及び帯状ゴム部材供給口４を形成している。そして、図外の帯状ゴム部材供給装置から帯状ゴム部材Ｒは、この供給口４、開口筒部12を通って内部孔９側へ供給され、帯状ゴム部材Ｒはスクリュー１に巻き取られていく。
また、帯状ゴム部材Ｒは、厚さの薄い帯状の連続体であり、帯状ゴム部材Ｒの幅方向を射出成形機の軸心Ｃ方向としスクリュー１により巻き取られている。従って、帯状ゴム部材供給口４の軸心Ｃ方向寸法は、帯状ゴム部材Ｒの幅寸法Ｗより僅かに大きいものである。
【００１１】
次に、射出成形におけるスクリュー１の動作について説明する。図２は、混練後のゴム部材の射出完了後の状態であり、スクリュー１の先端部１ａは、射出口６側に移動した状態にある。なお、Ｓはスクリュー１の射出ストロークを示している。
この状態から、スクリュー１は、図示省略の駆動機構により矢印Ｇ方向に回転しながら後退（矢印Ｅ方向）し、供給口４からつながった状態で帯状ゴム部材Ｒを巻き取る。そして、射出ストロークであるＳ寸法だけ（回転しながら）後退すると、ゴム部材が充填し射出待機状態となる。また、筒状本体部２は加熱手段により所定温度に加熱されている。そして、その後、スクリュー１は、矢印Ｆ方向へ上記駆動機構の押出手段により押し出され（前進し）、ゴム部材を射出口６から図外の金型へ射出する。
【００１２】
射出成形機についてさらに詳しく説明すると、図３と、図４の射出成形機の要部の横断面図に示すように、帯状ゴム部材Ｒの供給部10において、筒状本体部２の内壁面３ａとスクリュー１の外周面との間には、帯状ゴム部材Ｒを切断することなく適切に巻き取ることができるよう、帯状ゴム部材供給口４から供給された帯状ゴム部材Ｒのスクリュー１への巻付進行周方向Ａ（周方向）に間隙寸法ｄが順次縮小する巻付用隙間部５が形成されている。
さらに、供給部10における筒状本体部２の内壁面３ａとスクリュー１の外周面との間には、この巻付用隙間部５から軸心Ｃ方向の射出口６側に連続する送出用隙間部７が形成されている。
即ち、これら巻付用隙間部５と送出用隙間部７により、供給部10における内部孔９の形状は、射出口６側の本体部分より拡大状の空間部としている。
【００１３】
まず、巻付用隙間部５について説明すると、巻付用隙間部５の軸心Ｃ方向の軸方向長さＭは、帯状ゴム部材供給口４の軸心Ｃ方向寸法と同一とし───即ち帯状ゴム部材Ｒの幅寸法Ｗより僅かに大───、開口筒部12が連続するよう形成されている。そして図４に示すように、帯状ゴム部材Ｒは、供給口４から開口筒部12を通って直線的に進みスクリュー１の外周面側に接するよう進入する。そして、この帯状ゴム部材Ｒがスクリュー１に接する位置の入口部（投入部）11における巻付用隙間部５の間隙寸法ｄ1 は、帯状ゴム部材Ｒの厚さｔと略同じであり、厚さｔの±10％の範囲内としている。＋10％を越えると、間隙が大きくなりすぎ混練されたゴム部材によどみを生じさせる等の原因となり、−10％未満になると、帯状ゴム部材Ｒがスクリュー１の巻き付け張力により切断されてしまうおそれがある。
【００１４】
そして、この間隙寸法ｄは、入口部11のｄ1 から周方向（巻付進行周方向Ａ）に徐々に（一定勾配で）小さくなっており、この間隙寸法ｄが小さくなる漸減区間Ｊは入口部11より 180°〜 270°としている。そして、例えば図４のように漸減区間Ｊを 180°とした際、周方向残りの後半区間は、射出口６側のスクリュー１と筒状本体部２の内壁面３との間の上記クリアランスと同じである一定区間とすればよい。
また、帯状ゴム部材Ｒの巻付進行周方向Ａは、上述したスクリュー１が後退する（図２の矢印Ｅ）際の回転方向である矢印Ｇと同じ方向である。
この巻付用隙間部５により、入口部11からスクリュー１に巻き取られる帯状ゴム部材Ｒは、徐々に引き伸ばされてスクリュー１の外径部に巻き付くため、切断されることはない。
【００１５】
次に、送出用隙間部７について説明すると、巻付用隙間部５から軸心Ｃ方向の射出口６側に連続するよう形成されているが、送出用隙間部７の横断面は、図４に示す漸減区間Ｊの断面形状と同じである。即ち、巻付用隙間部５と送出用隙間部７とは、共に、同一横断面（円弧）形状の略ハーフパイプ状空隙部であって、周方向の隙間寸法が漸減するもので、これらの内壁面３ａは連続している。そして、巻付用隙間部５側においては開口筒部12（帯状ゴム部材供給口４）を形成している。従って、供給部10の内部孔９の軸心は軸心Ｃからずれており、スクリュー１の軸心と偏心した状態となる。
【００１６】
また、送出用隙間部７の、軸心Ｃ方向の軸方向寸法Ｌは、スクリュー１の射出ストロークをＳとし、スクリュー１のネジピッチをＰとした場合に、（Ｓ−Ｐ／２）≦Ｌ≦Ｓに設定したものとしている。この送出用隙間部７は、スクリュー１の前進（射出成形）時、供給口４からつながった状態でスクリュー１に巻き付いていた帯状ゴム部材Ｒが、筒状本体部２の内壁に引っ掛かり切断されてしまうことを防ぐために設けた空間（隙間）である。従って、軸方向寸法Ｌは、スクリュー１のストロークＳ以下であればよく、これを越えると、スクリュー１と筒状本体部２の内壁面３ａとの隙間が不要に大きくなり、混練されたゴム部材によどみ等を生じさせる原因となる。また、この軸方向寸法Ｌを（Ｓ−Ｐ／２）未満とすると、スクリュー１の前進時、帯状ゴム部材Ｒが筒状本体部２の内壁に引っ掛かり切断されてしまうおそれがある。
【００１７】
また、送出用隙間部７の少なくとも先端部７ａを、射出口６側に向かって間隙寸法が縮小する勾配面８としている。この勾配面８の軸心Ｃに対する勾配を２°〜10°とするのが好ましく、特に５°が好ましい。これによりスクリュー１の前進により帯状ゴム部材Ｒが、スクリュー１のストロークＳより小さい軸方向寸法Ｌの送出用隙間部７内を、移動しても、隙間の形状が急変しないで送出用隙間部７の内壁面３ａが滑らかに射出口側部位の内壁面３へ形状変化しているため、帯状ゴム部材Ｒが引っ掛かって完全に切断されることがない。
【００１８】
また、供給部10において、帯状ゴム部材供給口４につながる開口筒部12の壁面と、筒状本体部２の内壁面３との角部（交線部）には、角取り加工部13を形成している。即ち、開口筒部12の射出口６側の壁面と内壁面３との（仮想）交線部には、図３のように勾配面（面取り加工部）を形成している。また、この角取り加工部13は、曲面（アール加工部）としてもよい。これにより、スクリュー１の前進時、帯状ゴム部材Ｒはこの角部により切断されることがなくなる。
【００１９】
【発明の効果】
本発明は上述の構成により次のような効果を奏する。
【００２０】
（請求項１によれば）帯状ゴム部材Ｒがスクリュー１に巻き付く際、帯状ゴム部材Ｒは徐々に引き伸ばされて巻き付いていくため、帯状ゴム部材Ｒが装置内部において切断してしまうことがない。しかも、内部孔９を形成する内壁面３から帯状ゴム部材供給口４につながる射出口６側の角部に形成された角取り加工部13によって、帯状ゴム部材Ｒはこの部分で切断されることがなくなる。従って、伸びが少なく、表面の摩擦係数が低い材料でも、帯状ゴム部材供給口４からつながった状態で確実に連続して筒状本体部２の内部へ供給し続けることができる。
【００２１】
（請求項２によれば）スクリュー１の前進動作（射出動作）により、帯状ゴム部材供給口４からつながった状態の帯状ゴム部材Ｒが、スクリュー１と筒状本体部２の内壁面３との間に挟まって切断されることがなく、帯状ゴム部材Ｒを確実に連続して筒状本体部２の内部へ供給し続けることができる。
【００２２】
（請求項３によれば）スクリュー１と筒状本体部２の内壁面３との間に不要な隙間を形成しない。さらに、内壁面３の形状変化を滑らかにすることができ、帯状ゴム部材Ｒに、切断の原因となる要因を生じさせにくくすることができる。
【００２３】
（請求項４によれば）スクリュー１と筒状本体部２の内壁面３との間の隙間を必要最小限として、充填部内におけるゴム部材の射出状態を安定させると共に、スクリュー１の前進動作により帯状ゴム部材Ｒを切断することがなく、帯状ゴム部材Ｒを連続して供給し続けることができる。
【図面の簡単な説明】
【図１】  本発明のゴム射出成形機の実施の一形態を示す平面図である。
【図２】  本発明のゴム射出成形機側部断面図である。
【図３】  ゴム射出成形機の要部を示す側部断面図である。
【図４】  ゴム射出成形機の要部を示す横断面図である。
【図５】  従来のゴム射出成形機の側部断面図である。
【図６】  従来のゴム射出成形機の横断面図である。
【符号の説明】
１  スクリュー
２  筒状本体部
３  内壁面
４  帯状ゴム部材供給口
５  巻付用隙間部
６  射出口
７  送出用隙間部
７ａ  先端部
８  勾配面
９  内部孔
10  供給部
13  角取り加工部
Ａ  巻付進行周方向
ｄ  間隙寸法
Ｌ  軸方向寸法
Ｐ  ネジピッチ
Ｒ  帯状ゴム部材
Ｓ  射出ストローク
【図１】
0003646094.tif 000002
【図２】
0003646094.tif 000003
【図３】
0003646094.tif 000004
【図４】
0003646094.tif 000005
【図５】
0003646094.tif 000006
【図６】
0003646094.tif 000007